(57)【特許請求の範囲】
【請求項１】
取付フレーム（４）に平行リンク（１２・１３）を介して播種フレーム（１４）を枢結し、該播種フレーム（１４）に、接地駆動輪（９）と種子繰出装置（６）と播種面鎮圧ローラ（１７）とを付設して播種ユニット（Ａ）を構成し、トラクタに装着したロータリー耕耘装置の後端部に横架される取付バー（３）に、条数に合わせた複数の前記播種ユニット（Ａ）を、取付フレーム（４）の先端を取付バー（３）に固定することにより併設して播種機を構成し、該播種機の後方に、左右幅範囲の全面を鎮圧する全面鎮圧ローラ（Ｂ）を配置し、該全面鎮圧ローラ（Ｂ）は前端を、前記取付バー（３）に支持して構成し、各播種ユニット（Ａ）の播種面鎮圧ローラ（１７）により土壌面を鎮圧した場合、それぞれの播種面鎮圧ローラ（１７）の間の一定の間隔により、種子（Ｓ）が播種され播種面鎮圧ローラ（１７）により鎮圧され凹陥した土壌面（Ｇｂ）と、該播種面鎮圧ローラ（１７）により鎮圧されずに盛り上がった土壌面（Ｇａ）により段差を発生させ、播種された該種子（Ｓ）の播種深さは、該播種面鎮圧ローラ（１７）により鎮圧した状態で適正な深さ（Ｄ）とすべく調整可能に構成し、該土壌面（Ｇｂ）に対して盛り上がっている土壌面（Ｇａ）を、後部に配置した全面鎮圧ローラ（Ｂ）の左右幅の範囲内で全体的に均平に鎮圧し、該土壌面（Ｇａ）と土壌面（Ｇｂ）との段差を無くし、該全面鎮圧ローラ（Ｂ）による鎮圧が終了した後における、該種子（Ｓ）の播種深さが適正な深さ（Ｄ）となるように、該全面鎮圧ローラ（Ｂ）の鎮圧力を調整可能としたことを特徴とする播種機。
【請求項２】
請求項１記載の播種機において、前記全面鎮圧ローラ（Ｂ）は、少なくとも、土壌を鎮圧するローラ部材（３１）と、該ローラ部材（３１）のローラ軸（３８）両端部から前斜上方へ延出するローラフレーム（３２）と、該ローラフレーム（３２）の前端部から後方へ延出する支持ステー（３３）と、該支持ステー（３３）とローラフレーム（３２）との間に介装されローラ部材（３１）を下方付勢する付勢部材であるスプリング（３５）とで構成し、前記全面鎮圧ローラ（Ｂ）は、前記ローラフレーム（３２）の前端部又は支持ステー（３３）の前端部にて、播種機の取付バー（３）に着脱可能に取り付けたことを特徴とする播種機。
【発明の詳細な説明】
【０００１】
【発明の属する技術分野】
本発明は、繰出装置の後方に播種面鎮圧ローラを配置した播種ユニットを、複数併設して構成した播種機の後方に設けられる鎮圧ローラを具備した播種機であって、該播種機の左右幅範囲の全面を鎮圧して、播種面鎮圧ローラによる鎮圧面と非鎮圧面との高低差をならすための全面鎮圧ローラを具備した播種機に関する。
【０００２】
【従来の技術】
従来から、種子繰出装置の後方に播種面鎮圧ローラを配置した播種ユニットを、複数併設して構成し、トラクター等の車両に装着される作業機の後端部に装着して用いる播種機は公知である。このような播種機においては、併設された複数の播種ユニットにおける種子繰出装置により複数条の土壌面に同時に種子を播種し、播種した土壌面（播種面）に土壌を被せた後に、各播種ユニット毎に設けられる播種面鎮圧ローラによって、それぞれの播種面を鎮圧するようにしていた。
【０００３】
【発明が解決しようとする課題】
前述の播種機における、各播種ユニットの播種面鎮圧ローラにより土壌面を鎮圧した場合、それぞれの播種面鎮圧ローラと播種面鎮圧ローラとの間には一定の間隔があいているので、土壌面には鎮圧される箇所と鎮圧されない箇所が生じる。例えば、図７に示すように、播種面鎮圧ローラ１７により鎮圧される、種子Ｓが播種された部分の土壌面Ｇｂは、播種面鎮圧ローラ１７により鎮圧されなかった部分の土壌面Ｇａに対して凹陥し段差を生じる。そして、播種された種子Ｓの播種深さは、播種面鎮圧ローラ１７により鎮圧された状態で適正な深さＤとなるように調整されている。
【０００４】
しかし、播種後に雨が降ったりすると、図７に示すように、鎮圧されなかった部分の土壌面Ｇａの土壌が、凹陥している鎮圧された部分の土壌面Ｇｂに流れ込み、種子Ｓの播種深さが、播種時よりも深くなってしまう。これにより、降雨後の種子Ｓの播種深さＤａが、前述の適正な深さＤよりも深くなってしまい、種子Ｓの発芽率が低下してしまうといった不具合があった。
【０００５】
【課題を解決するための手段】
本発明の解決しようとする課題は以上の如くであり、次に該課題を解決するための手段を説明する。
【０００６】
請求項１においては、取付フレーム（４）に平行リンク（１２・１３）を介して播種フレーム（１４）を枢結し、該播種フレーム（１４）に、接地駆動輪（９）と種子繰出装置（６）と播種面鎮圧ローラ（１７）とを付設して播種ユニット（Ａ）を構成し、トラクタに装着したロータリー耕耘装置の後端部に横架される取付バー（３）に、条数に合わせた複数の前記播種ユニット（Ａ）を、取付フレーム（４）の先端を取付バー（３）に固定することにより併設して播種機を構成し、該播種機の後方に、左右幅範囲の全面を鎮圧する全面鎮圧ローラ（Ｂ）を配置し、該全面鎮圧ローラ（Ｂ）は前端を、前記取付バー（３）に支持して構成し、各播種ユニット（Ａ）の播種面鎮圧ローラ（１７）により土壌面を鎮圧した場合、それぞれの播種面鎮圧ローラ（１７）の間の一定の間隔により、種子（Ｓ）が播種され播種面鎮圧ローラ（１７）により鎮圧され凹陥した土壌面（Ｇｂ）と、該播種面鎮圧ローラ（１７）により鎮圧されずに盛り上がった土壌面（Ｇａ）により段差を発生させ、播種された該種子（Ｓ）の播種深さは、該播種面鎮圧ローラ（１７）により鎮圧した状態で適正な深さ（Ｄ）とすべく調整可能に構成し、該土壌面（Ｇｂ）に対して盛り上がっている土壌面（Ｇａ）を、後部に配置した全面鎮圧ローラ（Ｂ）の左右幅の範囲内で全体的に均平に鎮圧し、該土壌面（Ｇａ）と土壌面（Ｇｂ）との段差を無くし、該全面鎮圧ローラ（Ｂ）による鎮圧が終了した後における、該種子（Ｓ）の播種深さが適正な深さ（Ｄ）となるように、該全面鎮圧ローラ（Ｂ）の鎮圧力を調整可能としたものである。
【０００７】
請求項２においては、請求項１記載の播種機において、前記全面鎮圧ローラ（Ｂ）は、少なくとも、土壌を鎮圧するローラ部材（３１）と、該ローラ部材（３１）のローラ軸（３８）両端部から前斜上方へ延出するローラフレーム（３２）と、該ローラフレーム（３２）の前端部から後方へ延出する支持ステー（３３）と、該支持ステー（３３）とローラフレーム（３２）との間に介装されローラ部材（３１）を下方付勢する付勢部材であるスプリング（３５）とで構成し、前記全面鎮圧ローラ（Ｂ）は、前記ローラフレーム（３２）の前端部又は支持ステー（３３）の前端部にて、播種機の取付バー（３）に着脱可能に取り付けたものである。
【０００８】
【発明の実施の形態】
次に、本発明の実施の形態を説明する。図１は本発明の全面鎮圧ローラを取り付けた播種機がロータリー耕耘装置に装着された状態を示す斜視図、図２は全面鎮圧ローラを取り付けた播種機を示す斜視図、図３は同じく側面図、図４は全面鎮圧ローラを示す側面図、図５は同じく平面図、図６は全面鎮圧ローラにより鎮圧した後の土壌面を示す図、図７は播種機の播種面鎮圧ローラにより鎮圧された後の土壌面を示す図、図８は図７における土壌面に雨が降った後の状態を示す図である。
【０００９】
まず、本発明の全面鎮圧ローラを取り付けた播種機の構成について説明する。図１乃至図３に示すように、例えば、トラクタに装着されたロータリー耕耘装置の後端部に横架される取り付けバー３に、条数に合わせた複数の播種ユニットＡで構成される播種機が取り付けられている。該播種機は、例えば本例においては、人参等の野菜用播種機に構成しているが、これに限定されるものではない。
【００１０】
前記取付バー３には、播種ユニットＡの取付フレーム４が取付固定され、該取付フレーム４には、平行リンク１２・１３を介して播種フレーム１４が枢結されている。該播種フレーム１４の前端部には接地駆動輪９が回転自在に支持され、途中部には種子繰出装置６が取り付けられ、後端部には播種面鎮圧ローラ１７が回転自在に支持されている。該接地駆動輪９と種子繰出装置６とは、チェンケース１９に内蔵されるチェンにより連結されており、接地駆動輪９が回転すると種子繰出装置６が回転駆動されるように構成されている。
【００１１】
また、前記種子繰出装置６上にはホッパ１１が載置されている。さらに、播種フレーム１４の途中部には作溝器１６が固設され、前記種子繰出装置６の下方に配置されており、該作溝器１６の後方には覆土板１８が設けられている。
【００１２】
前記平行リンク１２・１３は前高後低に配置され、該平行リンク１２の後端部の枢支軸２１と、平行リンク１３の前端部の枢支軸２２との間には、引っ張りバネ２０を介装して、播種フレーム１４を一定の力で下方に付勢するように構成している。
【００１３】
そして、前記接地駆動輪９を接地させて前進することにより種子繰出装置６を回転駆動させ、ホッパ１１内に貯留される種子を土壌面に播種するようにしている。播種された土壌面は覆土板１８により覆土され、その後、播種面鎮圧ローラ１７によって鎮圧される。
【００１４】
次に、前記播種機に取り付けられる全面鎮圧ローラＢについて説明する。図１乃至図５に示すように、全面鎮圧ローラＢは前記取付バー３に取付固定されており、該全面鎮圧ローラＢの後端部のローラ部材３１により土壌面を鎮圧するものである。
【００１５】
ローラ部材３１は播種機の後方、即ち播種面鎮圧ローラ１７の後方に配置されており、全面鎮圧ローラＢは、該ローラ部材３１と、該ローラ部材３１のローラ軸３８を回転自在に支持し、該ローラ軸３８の両端部から前斜上方へ延出するローラフレーム３２と、該ローラフレーム３２の前端部から後方へ延出する支持ステー３３と、該支持ステー３３とローラフレーム３２との間に介装されローラ部材３１を下方付勢する付勢部材であるスプリング３５とで構成されている。
【００１６】
ローラフレーム３２の前端部は、支持ステー３３に回動自在に枢支されており、該支持ステー３３の前端部を前記取付バー３に取り付けることにより、全面鎮圧ローラが取付固定されている。スプリング３５は、支持ステー３３の後端部とローラフレーム３２の途中部（本例の場合前部）との間に介装されるロッド３４に外嵌されており、ローラフレーム３２を下方に付勢している。
【００１７】
また、該ロッド３４の下部には、挿入の上下位置を変更可能としたピンが挿入されており、このピンの挿入位置を変化することによって、スプリング３５の付勢力が調節可能となっている。このように、スプリング３５の付勢力を調節可能とすることにより、ローラ部材３１の土壌面への押圧力を変化させて、鎮圧状態を調節することができるようにしている。
【００１８】
前記ローラ部材３１は、所定幅の円筒形状に形成される小ローラ３１ａを複数連結して、一本の円筒体として形成されており、該ローラ部材３１の左右幅の範囲内の土壌全面が鎮圧可能である。また、該小ローラ３１ａの連結数を変えることで、ローラ部材３１の左右幅を条数に合わせた幅に調節することが可能であり、本例においては、ローラ部材３１の左右幅が、播種機の左右幅よりも若干大きくなるように調節している。さらに、ローラ部材３１の外周部にはスクレイパー３９を設けて、該ローラ部材３１の外周に付着した土壌等を掻き落とすようにしている。
【００１９】
以上の如く構成した全面鎮圧ローラＢを播種機に取り付けて、該全面鎮圧ローラＢのローラ部材３１を播種機の播種面鎮圧ローラ１７の後方に配置することで、次のような効果が得られる。即ち、播種機の播種面鎮圧ローラ１７により鎮圧された後の土壌面は、図７に示すように、種子Ｓが播種され、播種面鎮圧ローラ１７により鎮圧された部分の土壌面Ｇｂと、播種面鎮圧ローラ１７により鎮圧されなかった部分の土壌面Ｇａとが存在し、該土壌面Ｇｂは土壌面Ｇａに対して凹陥して段差を生じる。しかし、本例のように全面鎮圧ローラＢを取り付けた播種機においては、播種面鎮圧ローラ１７により鎮圧された図７に示す状態の土壌面が、全面鎮圧ローラＢのローラ部材３１によりさらに鎮圧される。
【００２０】
このように、図７に示す状態の土壌面をローラ部材３１により鎮圧することにより、図６に示すように、土壌面Ｇｂに対して盛り上がっている土壌面Ｇａが特に鎮圧され、該土壌面Ｇａと土壌面Ｇｂとの段差がなくなって、土壌面はローラ部材３１の左右幅の範囲内で全体的に均平に均されることとなる。尚、この場合、ローラ部材３１による鎮圧が終了した後における、種子Ｓの播種深さが適正な深さＤとなるように、該ローラ部材３１及び播種面鎮圧ローラ１７の鎮圧力を調整している。
【００２１】
従って、種子Ｓの播種後に雨が降ったとしても、播種された部分の土壌面Ｇｂに土壌が流れ込むことがなく、種子Ｓの播種深さを、前述の適正な深さＤに保持することができ、種子Ｓの発芽率を向上させることができる。
【００２２】
また、播種面鎮圧ローラ１７の後方に配置されるローラ部材３１は、該ローラ部材３１の両端から前上方に延出するローラフレーム３２により支持されているので、該ローラ部材３１上方のスペースを全面鎮圧ローラＢにより占有してしまうことがなく、該全面鎮圧ローラＢをコンパクトに構成することができ、全面鎮圧ローラＢを取り付けた状態でも、ホッパ１１への種子Ｓの補充や播種機の調整等を容易に行うことが可能となる。さらに、ローラ部材３１はスプリング３５により下方付勢されているので、確実に鎮圧することができ、土壌面を均平に均す精度を向上することができる。
【００２３】
また、全面鎮圧ローラＢは播種機に対して着脱可能に取り付けられているので、従来の播種機に改造等を施すこともなく全面鎮圧ローラＢを付設するだけで、容易に播種した種子Ｓの発芽率を向上させることが可能となる。また、必要なときのみ全面鎮圧ローラＢを装着して作業を行うことができるので、作業を効率的に行うことが可能となる。
【００２４】
【発明の効果】
本発明は以上の如く構成したので、次のような効果を奏するのである。
請求項１記載の如く、取付フレーム（４）に平行リンク（１２・１３）を介して播種フレーム（１４）を枢結し、該播種フレーム（１４）に、接地駆動輪（９）と種子繰出装置（６）と播種面鎮圧ローラ（１７）とを付設して播種ユニット（Ａ）を構成し、トラクタに装着したロータリー耕耘装置の後端部に横架される取付バー（３）に、条数に合わせた複数の前記播種ユニット（Ａ）を、取付フレーム（４）の先端を取付バー（３）に固定することにより併設して播種機を構成し、該播種機の後方に、左右幅範囲の全面を鎮圧する全面鎮圧ローラ（Ｂ）を配置し、該全面鎮圧ローラ（Ｂ）は前端を、前記取付バー（３）に支持して構成し、各播種ユニット（Ａ）の播種面鎮圧ローラ（１７）により土壌面を鎮圧した場合、それぞれの播種面鎮圧ローラ（１７）の間の一定の間隔により、種子（Ｓ）が播種され播種面鎮圧ローラ（１７）により鎮圧され凹陥した土壌面（Ｇｂ）と、該播種面鎮圧ローラ（１７）により鎮圧されずに盛り上がった土壌面（Ｇａ）により段差を発生させ、播種された該種子（Ｓ）の播種深さは、該播種面鎮圧ローラ（１７）により鎮圧した状態で適正な深さ（Ｄ）とすべく調整可能に構成し、該土壌面（Ｇｂ）に対して盛り上がっている土壌面（Ｇａ）を、後部に配置した全面鎮圧ローラ（Ｂ）の左右幅の範囲内で全体的に均平に鎮圧し、該土壌面（Ｇａ）と土壌面（Ｇｂ）との段差を無くし、該全面鎮圧ローラ（Ｂ）による鎮圧が終了した後における、該種子（Ｓ）の播種深さが適正な深さ（Ｄ）となるように、該全面鎮圧ローラ（Ｂ）の鎮圧力を調整可能としたので、次のような効果を奏するのである。
従来は、播種後に雨が降ったりすると、図７に示すように、鎮圧されなかった部分の土壌面Ｇａの土壌が、凹陥している鎮圧された部分の土壌面Ｇｂに流れ込み、種子Ｓの播種深さが、播種時よりも深くなってしまう。
これにより、降雨後の種子Ｓの播種深さＤａが、前述の適正な深さＤよりも深くなってしまい、種子Ｓの発芽率が低下してしまうといった不具合があった。
これに対して、本発明の播種機においては、播種面鎮圧ローラにより鎮圧されなかった部分の突出した土壌面を特に鎮圧して、土壌面の段差をなくし、播種機の左右幅の範囲内で土壌面全体を均平に均すことができる。
これにより、種子の播種後に雨が降ったとしても、播種された部分の土壌面に土壌が流れ込むことがなく、種子の播種深さを適正な深さＤに保持することができ、種子の発芽率を向上させることができる。
【００２５】
さらに、請求項２記載の如く、前記全面鎮圧ローラは、少なくとも、土壌を鎮圧するローラ部材と、該ローラ部材のローラ軸両端部から前斜上方へ延出するローラフレームと、該ローラフレームの前端部から後方へ延出する支持ステーと、該支持ステーとローラフレームとの間に介装されローラ部材を下方付勢する付勢部材とで構成されるので、ローラ部材上方のスペースを全面鎮圧ローラにより占有してしまうことがなく、該全面鎮圧ローラをコンパクトに構成することができ、全面鎮圧ローラを播種機に取り付けた状態でも、播種機のホッパへの種子の補充や播種機の調整等を容易に行うことが可能となる。
さらに、ローラ部材は付勢部材により下方付勢されているので、確実に鎮圧することができ、土壌面を均平に均す精度を向上することができる。
【００２６】
さらに、前記全面鎮圧ローラは、前記ローラフレームの前端部又は支持ステーの前端部にて、播種機の取付バーに着脱可能に取り付けられるので、従来の播種機に改造等を施すこともなく全面鎮圧ローラを付設するだけで、容易に播種した種子の発芽率を向上させることが可能となる。
また、必要なときのみ全面鎮圧ローラを装着して作業を行うことができるので、作業を効率的に行うことが可能となる。
【図面の簡単な説明】
【図１】  本発明の全面鎮圧ローラを取り付けた播種機がロータリー耕耘装置に装着された状態を示す斜視図である。
【図２】  全面鎮圧ローラを取り付けた播種機を示す斜視図である。
【図３】  同じく側面図である。
【図４】  全面鎮圧ローラを示す側面図である。
【図５】  同じく平面図である。
【図６】  全面鎮圧ローラにより鎮圧した後の土壌面を示す図である。
【図７】  播種機の播種面鎮圧ローラにより鎮圧された後の土壌面を示す図である。
【図８】  図７における土壌面に雨が降った後の状態を示す図である。
【符号の説明】
Ａ  播種ユニット
Ｂ  全面鎮圧ローラ
３  取付バー
６  種子繰出装置
１１  ホッパ
１４  播種フレーム
１７  播種面鎮圧ローラ
３１  全面鎮圧ローラ
３２  ローラフレーム
３３  支持ステー
３５  スプリング
３８  ローラ軸
【図１】
0004151175.tif 000002
【図２】
0004151175.tif 000003
【図３】
0004151175.tif 000004
【図４】
0004151175.tif 000005
【図５】
0004151175.tif 000006
【図６】
0004151175.tif 000007
【図７】
0004151175.tif 000008
【図８】
0004151175.tif 000009